(57)【要約】【課題】  日常生活の中で使用するデバイスから発生するアラーム音を用いて、音楽感覚を養い、また、訓練することを可能とする。【解決手段】  携帯電話機の制御部は、目覚まし時計機能やスケジュール機能でアラーム音を出力する際に、単音のアラーム音、和音のアラーム音、所定の調のアラーム音、或いは所定のテンポのアラーム音を発生する。ユーザは、このアラーム音に対応する回答を入力する。制御部は、ユーザにより、現在発生しているアラーム音の正解が入力されるまで、該アラーム音の発生を継続制御し、上記アラーム音の正解が入力された際に該アラーム音の発生を停止制御する。これにより、日常生活の中で使用するアラーム音で音楽感覚の養成や訓練を行うことができるため、ユーザに訓練等による苦痛を感じさせることがなく、当該訓練等を継続することを可能とすることができる。【選択図】  図２
2008203027.tif 000002
【特許請求の範囲】
【請求項１】
アラーム発生時刻を示すアラーム発生時刻情報を記憶するアラーム発生時刻記憶手段と、
時刻を計時して計時情報を出力する計時手段と、
上記計時手段から出力される計時情報で示される時刻と、上記アラーム発生時刻記憶手段に記憶されているアラーム発生時刻情報で示される時刻とが一致した際に、音楽感覚を訓練するための所定のアラーム音として、少なくとも所定の単音のアラーム音、所定の和音のアラーム音、所定の調のアラーム音、及び所定のテンポのアラーム音のうち、いずれか一つのアラーム音を発生するアラーム音発生手段と、
上記アラーム音発生手段から発生した上記所定の単音のアラーム音の回答となる入力、上記所定の和音のアラーム音の回答となる入力、上記所定の調の回答となる入力、或いは上記所定のテンポの回答となる入力を行うための入力手段と、
上記入力手段を介して上記入力が行われた際に、上記アラーム音発生手段から発生したアラーム音の正解となる入力が行われたか否かを判別する正解／不正解判別手段と、
上記正解／不正解判別手段により、上記アラーム音発生手段から発生したアラーム音の不正解となる入力が行われたものと判別された場合に、上記アラーム音の発生を続行するように上記アラーム音発生手段を制御し、上記正解／不正解判別手段により、上記アラーム音発生手段から発生したアラーム音に対応する正解となる入力が行われたものと判別された場合に、上記アラーム音の発生を停止するように上記アラーム音発生手段を制御する制御手段と
を有するアラーム音発生装置。
【請求項２】
請求項１に記載のアラーム音発生装置であって、
少なくとも、所定の単音のアラーム音を発生する単音訓練モード、所定の和音のアラーム音を発生する和音訓練モード、所定の調のアラーム音を発生する調訓練モード、所定のテンポのアラーム音を発生するテンポ訓練モードのうち、一つの訓練モードを設定するための訓練モード設定手段を有し、
上記アラーム音発生手段は、上記訓練モード設定手段で設定された訓練モードに対応するアラーム音を発生すること
を特徴とするアラーム音発生装置。
【請求項３】
請求項１又は請求項２に記載のアラーム音発生装置であって、
上記制御手段は、上記アラーム音発生手段から所定の和音のアラーム音を発生している場合に、上記正解／不正解判別手段で、所定回数、上記不正解の判別が行われる毎に、上記和音を構成する音の数を所定数ずつ減らしたアラーム音を発生するように上記アラーム音発生手段を制御すること
を特徴とするアラーム音発生装置。
【請求項４】
請求項１から請求項３のうち、いずれか一項に記載のアラーム音発生装置であって、
上記アラーム音発生手段により発生される各アラーム音には所定の重み値が付されており、
上記制御手段は、上記正解／不正解判別手段で上記不正解の判別が行われる毎に、上記アラーム音発生手段から発生しているアラーム音の上記重み値を所定値分インクリメントし、上記正解／不正解判別手段で上記正解の判別が行われる毎に、上記アラーム音発生手段から発生しているアラーム音の上記重み値を所定値分デクリメントし、
上記アラーム音発生手段は、上記アラーム音を発生する際に、上記各アラーム音に付されている重み値に基づいて選択的に該アラーム音を発生すること
を特徴とするアラーム音発生装置。
【請求項５】
時刻を計時して計時情報を出力する計時手段から出力される計時情報で示される時刻と、アラーム発生時刻を示すアラーム発生時刻情報を記憶するアラーム発生時刻記憶手段に記憶されているアラーム発生時刻情報で示される時刻とが一致した際に、アラーム音発生手段が、音楽感覚を訓練するための所定のアラーム音として、少なくとも所定の単音のアラーム音、所定の和音のアラーム音、所定の調のアラーム音、及び所定のテンポのアラーム音のうち、いずれか一つのアラーム音を発生するステップと、
上記ステップで上記アラーム音発生手段から発生した上記所定の単音のアラーム音の回答となる入力、上記所定の和音のアラーム音の回答となる入力、上記所定の調の回答となる入力、或いは上記所定のテンポの回答となる入力を行うための入力手段を介して上記入力が行われた際に、正解／不正解判別手段が、上記アラーム音発生手段から発生したアラーム音の正解となる入力が行われたか否かを判別するステップと、
上記ステップで上記正解／不正解判別手段により、上記アラーム音発生手段から発生したアラーム音の不正解となる入力が行われたものと判別された場合に、制御手段が、上記アラーム音の発生を続行するように上記アラーム音発生手段を制御するステップと、
上記ステップで上記正解／不正解判別手段により、上記アラーム音発生手段から発生したアラーム音に対応する正解となる入力が行われたものと判別された場合に、制御手段が、上記アラーム音の発生を停止するように上記アラーム音発生手段を制御するステップと
を有するアラーム音発生方法。
【請求項６】
時刻を計時して計時情報を出力する計時手段から出力される計時情報で示される時刻と、アラーム発生時刻を示すアラーム発生時刻情報を記憶するアラーム発生時刻記憶手段に記憶されているアラーム発生時刻情報で示される時刻とが一致した際に、音楽感覚を訓練するための所定のアラーム音として、少なくとも所定の単音のアラーム音、所定の和音のアラーム音、所定の調のアラーム音、及び所定のテンポのアラーム音のうち、いずれか一つのアラーム音を発生するようにアラーム音発生手段を制御するアラーム音発生制御手段としてコンピュータを機能させ、
上記アラーム音発生制御手段としてコンピュータを機能させることで、上記アラーム音発生手段から発生した上記所定の単音のアラーム音の回答となる入力、上記所定の和音のアラーム音の回答となる入力、上記所定の調の回答となる入力、或いは上記所定のテンポの回答となる入力を行うための入力手段を介して上記入力が行われた際に、上記アラーム音発生手段から発生したアラーム音の正解となる入力が行われたか否かを判別する正解／不正解判別手段としてコンピュータを機能させ、
上記正解／不正解判別手段としてコンピュータを機能させることで、上記アラーム音発生手段から発生したアラーム音の不正解となる入力が行われたものと判別された場合に、上記アラーム音の発生を続行するように上記アラーム音発生手段を制御し、上記正解／不正解判別手段としてコンピュータを機能させることで、上記アラーム音発生手段から発生したアラーム音に対応する正解となる入力が行われたものと判別された場合に、上記アラーム音の発生を停止するように上記アラーム音発生手段を制御する制御手段としてコンピュータを機能させること
を特徴とするアラーム音発生プログラム。
【請求項７】
アラーム発生時刻を示すアラーム発生時刻情報を記憶するアラーム発生時刻記憶手段と、
時刻を計時して計時情報を出力する計時手段と、
上記計時手段から出力される計時情報で示される時刻と、上記アラーム発生時刻記憶手段に記憶されているアラーム発生時刻情報で示される時刻とが一致した際に、音楽感覚を訓練するための所定のアラーム音として、少なくとも所定の単音のアラーム音、所定の和音のアラーム音、所定の調のアラーム音、及び所定のテンポのアラーム音のうち、いずれか一つのアラーム音を発生するアラーム音発生手段と、
上記アラーム音発生手段から発生した上記所定の単音のアラーム音の回答となる入力、上記所定の和音のアラーム音の回答となる入力、上記所定の調の回答となる入力、或いは上記所定のテンポの回答となる入力を行うための入力手段と、
上記入力手段を介して上記入力が行われた際に、上記アラーム音発生手段から発生したアラーム音の正解となる入力が行われたか否かを判別する正解／不正解判別手段と、
上記正解／不正解判別手段により、上記アラーム音発生手段から発生したアラーム音の不正解となる入力が行われたものと判別された場合に、上記アラーム音の発生を続行するように上記アラーム音発生手段を制御し、上記正解／不正解判別手段により、上記アラーム音発生手段から発生したアラーム音に対応する正解となる入力が行われたものと判別された場合に、上記アラーム音の発生を停止するように上記アラーム音発生手段を制御する制御手段と
を有する携帯端末装置。
【発明の詳細な説明】
【技術分野】
【０００１】
本発明は、アラーム音発生機能を有する、例えば目覚まし時計、卓上タイマ装置、携帯電話機、ＰＨＳ電話機（PHS：Personal Handyphone System）、ＰＤＡ装置（PDA：Personal Digital Assistant）、携帯ゲーム機、デジタルカメラ装置、ノート型或いはデスクトップ型のパーソナルコンピュータ装置等に適用して好適なアラーム音発生装置、アラーム音発生方法、アラーム音発生プログラム、及び携帯端末装置に関し、特に、所定のアラーム発生時刻となった際に、所定の単音のアラーム音、所定の和音のアラーム音、所定の調のアラーム音、及び所定のテンポのアラーム音のうち、いずれか一つのアラーム音を発生し、ユーザが、この発生したアラーム音の回答となる入力を行った場合に、アラーム音の発生を停止することで、日常生活の中で継続して音楽感覚を養うことを可能としたアラーム音発生装置、アラーム音発生方法、アラーム音発生プログラム、及び携帯端末装置に関する。
【背景技術】
【０００２】
特開２００４−２２６２９０号の公開特許公報（特許文献１）に、意識を確実に目覚めさせる目覚まし時計を提供することを目的とした目覚まし時計が開示されている。この目覚まし時計は、アラーム時刻を入力するアラーム時刻設定入力部と、鳴動しているアラームを解除するための解除操作を行なう解除操作入力部と、日々変わるアラーム解除方法を寝始めの意識のある時には教えないように通知するアラーム解除方法通知部と、設定時刻になるとアラームを鳴動させ、通知した解除方法通り操作したかを判定して一致したらアラームの鳴動を止める制御を行なうアラーム制御部と、アラームを出力するアラーム出力部と、時刻をカウントする時計部とを有している。そして、アラームを解除する際に、毎回、異なる解除操作を求めることで、目覚まし効果の向上を図るようになっている。
【０００３】
【特許文献１】特開２００４−２２６２９０号公報（第１０頁、図３）
【発明の開示】
【発明が解決しようとする課題】
【０００４】
ここで、例えば音楽家のように、音楽に携わるユーザは、日頃から何らかの訓練を行い、音感、テンポ感等の音楽感覚を養う必要がある。例えば、クリック音発生装置を身につけて、クリック音を常に耳から聴取することで、音楽感覚の養成、維持を図る音楽家も多い。しかし、このような日頃の訓練を継続するには、極めて強い意志を必要とするため、苦痛に感じる音楽家も多いことは確かである。日常生活の中で通常使用するデバイスを用いて音楽感覚を養い、また維持することができれば、苦痛を感じることなく訓練の継続を可能とすることができ、好ましいことである。
【０００５】
本発明は、上述の課題に鑑みてなされたものであり、日常生活の中において、音楽感覚を養い、また苦痛を感じさせることなく音楽感覚を養う訓練を継続することができるようなアラーム音発生装置、アラーム音発生方法、アラーム音発生プログラム、及び携帯端末装置の提供を目的とする。
【課題を解決するための手段】
【０００６】
本発明に係るアラーム音発生装置は、上述の課題を解決するための手段として、
アラーム発生時刻を示すアラーム発生時刻情報を記憶するアラーム発生時刻記憶手段と、
時刻を計時して計時情報を出力する計時手段と、
上記計時手段から出力される計時情報で示される時刻と、上記アラーム発生時刻記憶手段に記憶されているアラーム発生時刻情報で示される時刻とが一致した際に、音楽感覚を訓練するための所定のアラーム音として、少なくとも所定の単音のアラーム音、所定の和音のアラーム音、所定の調のアラーム音、及び所定のテンポのアラーム音のうち、いずれか一つのアラーム音を発生するアラーム音発生手段と、
上記アラーム音発生手段から発生した上記所定の単音のアラーム音の回答となる入力、上記所定の和音のアラーム音の回答となる入力、上記所定の調の回答となる入力、或いは上記所定のテンポの回答となる入力を行うための入力手段と、
上記入力手段を介して上記入力が行われた際に、上記アラーム音発生手段から発生したアラーム音の正解となる入力が行われたか否かを判別する正解／不正解判別手段と、
上記正解／不正解判別手段により、上記アラーム音発生手段から発生したアラーム音の不正解となる入力が行われたものと判別された場合に、上記アラーム音の発生を続行するように上記アラーム音発生手段を制御し、上記正解／不正解判別手段により、上記アラーム音発生手段から発生したアラーム音に対応する正解となる入力が行われたものと判別された場合に、上記アラーム音の発生を停止するように上記アラーム音発生手段を制御する制御手段と
を有する。
【０００７】
また、本発明に係るアラーム音発生方法は、上述の課題を解決するための手段として、
時刻を計時して計時情報を出力する計時手段から出力される計時情報で示される時刻と、アラーム発生時刻を示すアラーム発生時刻情報を記憶するアラーム発生時刻記憶手段に記憶されているアラーム発生時刻情報で示される時刻とが一致した際に、アラーム音発生手段が、音楽感覚を訓練するための所定のアラーム音として、少なくとも所定の単音のアラーム音、所定の和音のアラーム音、所定の調のアラーム音、及び所定のテンポのアラーム音のうち、いずれか一つのアラーム音を発生するステップと、
上記ステップで上記アラーム音発生手段から発生した上記所定の単音のアラーム音の回答となる入力、上記所定の和音のアラーム音の回答となる入力、上記所定の調の回答となる入力、或いは上記所定のテンポの回答となる入力を行うための入力手段を介して上記入力が行われた際に、正解／不正解判別手段が、上記アラーム音発生手段から発生したアラーム音の正解となる入力が行われたか否かを判別するステップと、
上記ステップで上記正解／不正解判別手段により、上記アラーム音発生手段から発生したアラーム音の不正解となる入力が行われたものと判別された場合に、制御手段が、上記アラーム音の発生を続行するように上記アラーム音発生手段を制御するステップと、
上記ステップで上記正解／不正解判別手段により、上記アラーム音発生手段から発生したアラーム音に対応する正解となる入力が行われたものと判別された場合に、制御手段が、上記アラーム音の発生を停止するように上記アラーム音発生手段を制御するステップと
を有する。
【０００８】
また、本発明に係るアラーム音発生プログラムは、上述の課題を解決するために、
時刻を計時して計時情報を出力する計時手段から出力される計時情報で示される時刻と、アラーム発生時刻を示すアラーム発生時刻情報を記憶するアラーム発生時刻記憶手段に記憶されているアラーム発生時刻情報で示される時刻とが一致した際に、音楽感覚を訓練するための所定のアラーム音として、少なくとも所定の単音のアラーム音、所定の和音のアラーム音、所定の調のアラーム音、及び所定のテンポのアラーム音のうち、いずれか一つのアラーム音を発生するようにアラーム音発生手段を制御するアラーム音発生制御手段としてコンピュータを機能させ、
上記アラーム音発生制御手段としてコンピュータを機能させることで、上記アラーム音発生手段から発生した上記所定の単音のアラーム音の回答となる入力、上記所定の和音のアラーム音の回答となる入力、上記所定の調の回答となる入力、或いは上記所定のテンポの回答となる入力を行うための入力手段を介して上記入力が行われた際に、上記アラーム音発生手段から発生したアラーム音の正解となる入力が行われたか否かを判別する正解／不正解判別手段としてコンピュータを機能させ、
上記正解／不正解判別手段としてコンピュータを機能させることで、上記アラーム音発生手段から発生したアラーム音の不正解となる入力が行われたものと判別された場合に、上記アラーム音の発生を続行するように上記アラーム音発生手段を制御し、上記正解／不正解判別手段としてコンピュータを機能させることで、上記アラーム音発生手段から発生したアラーム音に対応する正解となる入力が行われたものと判別された場合に、上記アラーム音の発生を停止するように上記アラーム音発生手段を制御する制御手段としてコンピュータを機能させる。
【０００９】
また、本発明に係る携帯端末装置は、上述の課題を解決するための手段として、
アラーム発生時刻を示すアラーム発生時刻情報を記憶するアラーム発生時刻記憶手段と、
時刻を計時して計時情報を出力する計時手段と、
上記計時手段から出力される計時情報で示される時刻と、上記アラーム発生時刻記憶手段に記憶されているアラーム発生時刻情報で示される時刻とが一致した際に、音楽感覚を訓練するための所定のアラーム音として、少なくとも所定の単音のアラーム音、所定の和音のアラーム音、所定の調のアラーム音、及び所定のテンポのアラーム音のうち、いずれか一つのアラーム音を発生するアラーム音発生手段と、
上記アラーム音発生手段から発生した上記所定の単音のアラーム音の回答となる入力、上記所定の和音のアラーム音の回答となる入力、上記所定の調の回答となる入力、或いは上記所定のテンポの回答となる入力を行うための入力手段と、
上記入力手段を介して上記入力が行われた際に、上記アラーム音発生手段から発生したアラーム音の正解となる入力が行われたか否かを判別する正解／不正解判別手段と、
上記正解／不正解判別手段により、上記アラーム音発生手段から発生したアラーム音の不正解となる入力が行われたものと判別された場合に、上記アラーム音の発生を続行するように上記アラーム音発生手段を制御し、上記正解／不正解判別手段により、上記アラーム音発生手段から発生したアラーム音に対応する正解となる入力が行われたものと判別された場合に、上記アラーム音の発生を停止するように上記アラーム音発生手段を制御する制御手段と
を有する。
【００１０】
このような本発明は、計時手段で計時される時刻がアラーム発生時刻となった際に、音楽感覚を訓練するための所定のアラーム音として、少なくとも所定の単音のアラーム音、所定の和音のアラーム音、所定の調のアラーム音、及び所定のテンポのアラーム音のうち、いずれか一つのアラーム音を発生する。そして、ユーザにより、この発生したアラーム音の正答となる入力が行われるまでの間はアラーム音の発生を継続して実行し、発生したアラーム音の正答となる入力が行われた際にアラーム音の発生を停止する。
【００１１】
これにより、例えば目覚まし時計等の日常生活の中で使用するデバイスから発生するアラーム音を用いて、音楽感覚を養い、また、訓練することを可能とすることができる。また、日常生活の中で使用するアラーム音で、上記訓練等を行うことができるため、ユーザに訓練等による苦痛を感じさせることがなく、従って、音楽感覚を養う訓練等を継続することを可能とすることができる。
【発明の効果】
【００１２】
本発明は、日常生活の中において、音楽感覚を養い、また苦痛を感じさせることなく音楽感覚を養う訓練を継続可能とすることができる。
【発明を実施するための最良の形態】
【００１３】
本発明は、目覚まし時計機能やスケジュール機能等のアラーム音を発生させる機能を備えた携帯電話機に適用することができる。
【００１４】
［携帯電話機の構成］
この本発明の実施の形態となる携帯電話機は、図１に示すように基地局との間で音声通話、テレビ電話通話、電子メール、Ｗｅｂデータ等の無線通信を行うアンテナ１及び通信回路２と、受話音声や後述する音楽感覚訓練用のアラーム音等を出力するためのスピーカ部３と、送話音声等を集音するマイクロホン部４と、テレビ電話通話時に通信先から送信された相手方の動画像や所望の静止画像、或いは電子メールやメニューの文字等を表示するための表示部５と、文字の入力操作、所望のメニューの選択操作、及びスピーカ部３から出力された上記音楽感覚訓練用のアラーム音に対応する回答の入力操作等を行うための操作部６とを有している。
【００１５】
また、この携帯電話機は、発着信等を光で知らせるための発光部７（LED：Light Emitting Diode）と、所望の被写体の動画像或いは静止画像を撮像するためのカメラ部８と、時刻をカウントするタイマ１０と、各音楽感覚訓練用のアラーム音、及び各アラーム音にそれぞれ付された重み値が記憶されたアラーム音源メモリ１１と、各種アプリケーションプログラムや、これら各アプリケーションプログラムで取り扱われる各種データ（コンテンツ）等が記憶されたメモリ１２と、当該携帯電話機全体の動作を制御する制御部１３とを有している。
【００１６】
メモリ１２には、基地局を介した無線通信処理を行うための通信処理プログラム（コミュニケーションプログラム）の他、目覚まし時計機能やスケジュール機能等のアラーム音を用いる機能においてアラーム音を発生制御するためのアラーム音発生プログラムと、目覚まし時計機能を実現するための目覚まし時計プログラムと、電子メールの作成や送受信を制御するための電子メール管理プログラムとが記憶されている。
【００１７】
また、メモリ１１には、カメラ部８の撮像制御を行うカメラ制御プログラムと、ユーザのスケジュールが登録されたスケジュール帳の管理を行うためのスケジュール帳管理プログラムと、インターネット等のネットワーク上のＷｅｂページの閲覧を行うためのＷｅｂブラウジングプログラムと、電話帳の管理を行うための電話帳管理プログラムと、音楽コンテンツの再生を行うための音楽プレーヤプログラムとが記憶されている。
【００１８】
また、メモリ１１には、ユーザの所望のスケジュールが登録される、アラーム機能を備えたスケジュール帳と、ユーザの知人や友人等の静止画像、電話番号、電子メールアドレス、誕生年月日等が登録された電話帳と、音楽プレーヤプログラムに基づいて再生される音楽コンテンツと、カメラ制御プログラムのビューワ機能に基づいて再生される静止画像コンテンツ及び動画像コンテンツと、送受信された電子メールコンテンツと、電話及び電子メールの発着信履歴が記憶されている。
【００１９】
また、メモリ１１には、目覚まし時計機能やスケジュール機能等でユーザにより設定されたアラーム音の発生時刻を示す設定アラーム時刻情報と、ユーザにより設定された音楽感覚の訓練モードを示す設定訓練モード情報が記憶されている。
【００２０】
［アラーム音の発生動作］
このような実施の形態の携帯電話機は、目覚まし時計機能やスケジュール帳機能で発生制御されるアラーム音で音楽感覚の養成及び訓練を行うことができるようになっている。図２のフローチャートに、この音楽感覚の養成及び訓練を行うためのアラーム音を発生する動作の流れを示す。このフローチャートの処理は、目覚まし時計機能やスケジュール帳機能等でアラーム音を発生させる時刻を設定するタイミングで、制御部１３がメモリ１２に記憶されているアラーム音発生プログラムに基づいてスタートさせる。
【００２１】
ステップＳ１では、制御部１３が、ユーザにより設定されたアラーム音の発生時刻を設定アラーム時刻情報としてメモリ１２に記憶制御して、処理をステップＳ２に進める。ステップＳ２では、制御部１３が、ユーザにより設定された音楽感覚の訓練モードを設定訓練モード情報としてメモリ１２に記憶制御して、処理をステップＳ３に進める。
【００２２】
具体的には、一例ではあるが、この実施の形態の携帯電話機の場合、音楽感覚の訓練モードとして、所定の単音のアラーム音を発生する「単音訓練モード」、所定の和音のアラーム音を発生する「和音訓練モード」、所定の調のアラーム音を発生する「調訓練モード」、所定のテンポのアラーム音を発生する「テンポ訓練モード」が設けられており、ユーザは、このうち、一つの訓練モードを選択して設定可能となっている。制御部１３は、これら訓練モードのうち、ユーザにより選択された訓練モードを上記設定訓練モード情報としてメモリ１２に記憶制御するようになっている。
【００２３】
次に、上記アラーム音の発生時刻及び訓練モードの設定がなされると、制御部１３は、タイマ１０で計時されている時刻情報の取り込みを開始し、ステップＳ３において、タイマ１０で計時されている現在の時刻が、ユーザにより設定されたアラーム音の発生時刻となったか否かを判別する。そして、タイマ１０で計時されている現在の時刻が、ユーザにより設定されたアラーム音の発生時刻となったものと判別したタイミングで、処理をステップＳ４に進め、ユーザにより設定された訓練モードに対応するアラーム音を、アラーム音源メモリ１１から読み出してスピーカ部３を介して発生制御する。
【００２４】
ユーザは、このように発生されたアラーム音の回答を、操作部６を介して入力する。図２のフローチャートのステップＳ５では、制御部１３が、操作部６の操作状態を監視することで、ユーザから上記回答の入力がなされたか否かを判別する。そして、この回答の入力を検出するまでは、上記ステップＳ４においてアラーム音の発生制御を継続して実行し、回答の入力を検出したタイミングで処理をステップＳ６に進める。
【００２５】
ステップＳ６では、制御部１３が、現在、スピーカ部３を介して発生制御しているアラーム音の正解となる回答が入力されたか否かの正解／不正解の判別を行う。そして、ユーザにより正解となる回答が入力された場合に、後述するステップＳ７の処理を介して処理をステップＳ８に進め、スピーカ部３を介して発生制御しているアラーム音を停止制御して、当該図２のフローチャートに示す処理を終了する。
【００２６】
これに対して、ユーザにより不正解となる回答が入力された場合、制御部１３は、後述するステップＳ９〜ステップＳ１１の処理を介して処理をステップＳ４に戻し、アラーム音の発生を継続制御する。これにより、ユーザから正解の回答が入力されるまでは、音楽感覚訓練用のアラーム音が継続して発生制御されることとなる。
【００２７】
このようなアラーム音の発生動作、回答の入力操作を、具体例を掲げて説明すると、まず、ユーザにより「単音訓練モード」が設定されている場合、制御部１３は、アラーム音源メモリ１１に記憶されている、この「単音訓練モード」用のアラーム音に基づいて、平均律音階上に存在する音程（周波数）で、連続的、かつ、変化の無いアラーム音をランダムに発生制御する。なお、音色や音域については任意であるが、聞き取り易い音が好ましいであろう。この場合、ユーザは、操作部６を操作することで、例えば「Ａ１」等のように回答の入力を行う。この入力された回答が正解である場合、制御部１３は、上記ステップＳ８においてアラーム音の停止制御を行う。
【００２８】
ユーザにより「和音訓練モード」が設定されている場合、制御部１３は、アラーム音源メモリ１１に記憶されている、この「和音訓練モード」用のアラーム音に基づいて、所定の和音のアラーム音を発生制御する。和音を構成する音数は任意であるがテンションまで導入したとしても、聞き取り易さの観点から３和音〜５和音程度が好ましいであろう。この場合、ユーザは、操作部６を操作することで、例えば「Ａｍ」等のように回答の入力を行う。この入力された回答が正解である場合、制御部１３は、上記ステップＳ８においてアラーム音の停止制御を行う。なお、このような「Ａｍ」等の和音名を入力する代わりに、和音を構成する音名を順番に入力させるようにしてもよい。
【００２９】
ユーザにより「調訓練モード」が設定されている場合、制御部１３は、アラーム音源メモリ１１に記憶されている、この「調訓練モード」用のアラーム音に基づいて、所定の調の曲をアラーム音として発生制御する。このアラーム音として発生制御する曲は、毎回異なる曲を用いてもよいし、同じ曲をキーチェンジして用いてもよい。この場合、ユーザは、操作部６を操作することで、例えば「Ｃ」等のように曲の調の回答を入力する。この入力された回答が正解である場合、制御部１３は、上記ステップＳ８においてアラーム音の停止制御を行う。
【００３０】
ユーザにより「テンポ訓練モード」が設定されている場合、制御部１３は、アラーム音源メモリ１１に記憶されている、この「テンポ訓練モード」用のアラーム音に基づいて、所定のアラーム音に曲やメトロノーム音等をランダムなテンポで発生制御する。このテンポの刻み幅は任意であるが、テンポ５やテンポ１０等が好ましいであろう。この場合、ユーザは、操作部６を操作することで、例えば「５」、「１０」等のようにテンポの回答を数字で入力する。この入力された回答が正解である場合、制御部１３は、上記ステップＳ８においてアラーム音の停止制御を行う。
【００３１】
〔和音訓練モード時における音数の削減動作〕
ここで、制御部１３は、和音訓練モードが設定されている場合、上述のように所定の和音のアラーム音を発生制御するのであるが、和音の聞き取りは困難であり、ユーザが回答の入力を繰り返しても、なかなか正解とならない場合がある。このため、制御部１３は、図２のフローチャートのステップＳ６で、ユーザから入力された回答が不正解であると判別した場合、処理をステップＳ９に進め、メモリ１２に記憶されている設定訓練モード情報に基づいて、現在、設定されている訓練モードは「和音訓練モード」であるか否かを判別する。そして、現在、設定されている訓練モードは「和音訓練モード」ではないと判別した場合は、後述するステップＳ１１の処理を介して処理をステップＳ４に戻し、アラーム音の発生を継続制御する。
【００３２】
これに対して、現在、設定されている訓練モードは「和音訓練モード」であると判別した場合、制御部１３は、処理をステップＳ１０に進め、現在、発生している和音のアラーム音の音数を一つ（或いは複数でもよい。）減らした状態のアラーム音をアラーム音源メモリ１１から読み出し、後述するステップＳ１１の処理を介して処理をステップＳ４に戻し、この音数を減らした和音（或いは単音となる場合もある。）のアラーム音を発生制御する。
【００３３】
これにより、ユーザが不正解となる回答を入力する毎に、徐々に音数が削減された和音のアラーム音が発生制御されることとなる。このため、ユーザに対して和音のアラーム音を徐々に聞き取り易くすることができ、ユーザが入力する回答を正解に導くことができる。
【００３４】
〔重み値の可変動作〕
次に、当該実施の形態の携帯電話機の場合、アラーム音源メモリ１１に記憶されている各アラーム音には、例えば図３（ａ）に示すようにそれぞれに重み値が付されている。なお、この図３（ａ）に示す例は、「Ａ」、「Ｂ」、「Ｃ」の各アラーム音に対して、それぞれ初期値として「３」の重み値が付されている例を示している。なお、重み値の初期値としては、「３」以外であってもよい。
【００３５】
制御部１３は、図２のフローチャートのステップＳ６において、ユーザから入力された回答が不正解であると判別した場合、処理をステップＳ９を介してステップＳ１０に進め、現在、発生制御しているアラーム音に付されている重み値を、例えば「１」インクリメントする。また、ステップＳ６において、ユーザから入力された回答が正解であると判別した場合、制御部１３は処理をステップＳ７に進め、現在、発生制御しているアラーム音に付されている重み値を、例えば「１」デクリメントする。
【００３６】
このように正解となる回答が入力された場合に重み値を「１」デクリメントし、不正解となる回答が入力された場合に重み値を「１」インクリメントする動作を繰り返し実行することで、例えば図３（ｂ）に示すようにユーザの正解率に対応して各アラーム音の重み値が変化することとなる。
【００３７】
なお、この図３（ｂ）に示す例は、「Ａ」のアラーム音を発生制御した際に、一度でユーザから正解となる回答が入力された例を示している。この場合、「Ａ」のアラーム音の重み値は、ステップＳ７において「１」デクリメントされるため、「Ｂ」及び「Ｃ」の各アラーム音の重み値（＝重み値３）よりも、「１」低い重み値（重み値２）となっている。
【００３８】
制御部１３は、各訓練モードにおいて発生制御するアラーム音を、このアラーム音に付されている重み値の比率に基づいて決定するようになっている。すなわち、図３（ａ）に示すように「Ａ」、「Ｂ」、「Ｃ」の各アラーム音の重み値がそれぞれ「３」の場合、「Ａ」、「Ｂ」、「Ｃ」の各アラーム音が発生制御される確立は、それぞれ３／９となる。また、図３（ｂ）に示すように「Ａ」、「Ｂ」、「Ｃ」の各アラーム音の重み値がそれぞれ「２」、「３」、「３」の場合、「Ａ」、「Ｂ」、「Ｃ」の各アラーム音が発生制御される確立は、それぞれ２／８、３／８、３／８となる。
【００３９】
このように、ユーザにより正解となる回答がなされたアラーム音に対しては重み値を低くし、不正解となる回答がなされたアラーム音に対しては重み値を高くすることで、過去の回答結果に基づいて、発生するアラーム音を選択可能とすることができる。また、不正解となる回答がなされたアラーム音を優先的に発生制御することができ、音楽感覚の学習効果の向上を図ることができる。
【００４０】
なお、重み値の下限を「０」とすることで、一定回数以上、正解となる回答が得られたアラーム音の発生を、以後、抑制することができる。また、重み値の下限を「１」とすることで、一定回数以上、正解となる回答が得られた場合でも、そのアラーム音が発生される可能性を残すこともできる。また、このような各アラーム音の重み値を、ユーザから指定された際等に表示部５等に表示してもよい。これにより、ユーザは、正解率の高いアラーム音や正解率の悪いアラーム音を認識することができ、より学習効果の向上を図ることができる。
【００４１】
［実施の形態の効果］
以上の説明から明らかなように、この実施の形態の携帯電話機は、目覚まし時計機能やスケジュール機能でアラーム音を出力する際に、制御部１３が、単音のアラーム音、和音のアラーム音、所定の調のアラーム音、或いは所定のテンポのアラーム音を発生する。ユーザは、操作部６を操作することで、このアラーム音に対応する回答を入力する。制御部１３は、ユーザにより、現在発生しているアラーム音の正解が入力されるまで、該アラーム音の発生を継続制御し、上記アラーム音の正解が入力された際に該アラーム音の発生を停止制御する。
【００４２】
これにより、例えば目覚まし時計等の日常生活の中で使用するアラーム音を用いて、音楽感覚を養い、また、訓練することを可能とすることができる。また、日常生活の中で使用するアラーム音で、上記訓練等を行うことができるため、ユーザに訓練等による苦痛を感じさせることがなく、従って、音楽感覚を養う訓練等を継続することを可能とすることができる。
【００４３】
また、「和音訓練モード」で発生した和音のアラーム音に対して、不正解となる回答が入力される毎に、徐々に音数を減らした和音のアラーム音を発生する。これにより、ユーザが不正解となる回答を入力する毎に、徐々に音数が削減された和音のアラーム音が発生制御されることとなるため、ユーザに対して和音のアラーム音を徐々に聞き取り易くすることができ、ユーザが入力する回答を正解に導くことができる。
【００４４】
また、ユーザにより正解となる回答がなされたアラーム音に対しては重み値を低くし、不正解となる回答がなされたアラーム音に対しては重み値を高くすることで、過去の回答結果に基づいて、発生するアラーム音を選択可能とすることができる。また、不正解となる回答がなされたアラーム音を優先的に発生制御することができ、音楽感覚の学習効果の向上を図ることができる。
【００４５】
［変形例］
上述の実施の形態の説明では、アラーム音の回答は、操作部６を操作することで入力することとしたが、これは、マイクロホン部４を介して音声で入力するようにしてもよい。この場合、メモリ１２には音声認識プログラムが記憶されており、制御部１３は、アラーム音の回答の音声入力がなされると、この音声認識プログラムに基づいて、入力された音声を認識し、上述の正解／不正解の判別を行う。これにより、上記回答を操作部６を介して手入力する手間を省略可能とすることができる。
【００４６】
また、上述の実施の形態の説明では、本発明を携帯電話機に適用することとしたが、アラーム音発生機能を有する機器であれば、この他、目覚まし時計、卓上タイマ装置、ＰＨＳ電話機（PHS：Personal Handyphone System）、ＰＤＡ装置（PDA：Personal Digital Assistant）、携帯ゲーム機、デジタルカメラ装置、ノート型或いはデスクトップ型のパーソナルコンピュータ装置等にも適用することができる。そして、いずれの場合も、上述と同じ効果を得ることができる。
【００４７】
最後に、上述の実施の形態の説明は、本発明の一例である。このため、本発明は上述の実施の形態に限定されることはなく、本発明に係る技術的思想を逸脱しない範囲であれば、設計等に応じて種々の変更が可能であることは勿論であることを付け加えておく。
【図面の簡単な説明】
【００４８】
【図１】本発明を適用した実施の形態となる携帯電話機のブロック図である。
【図２】実施の形態の携帯電話機のアラーム音の発生動作を説明するためのフローチャートである。
【図３】実施の形態の携帯電話機から出力されるアラーム音に付されている重み値を説明するための図である。
【符号の説明】
【００４９】
１  アンテナ、２  通信回路、３  スピーカ部、４  マイクロホン部、５  表示部、６  操作部、７  発光部（ＬＥＤ）、８  カメラ部、９  バイブレーションユニット、１０  タイマ、１１  アラーム音源メモリ、１２  メモリ、１３  制御部
【図１】
2008203027.tif 000003
【図２】
2008203027.tif 000004
【図３】
2008203027.tif 000005